(57)【要約】【課題】取手本体と固定部の間に存在する空間が待機状態において鞄の上面に露呈しない取手を構成することができ、取手本体と固定部の間に衣服の端等が挟まる事態を防ぐことができるとともに、取手全体のデザインの範囲を従来に比して広くすることができる鞄の取手を提供する。【解決手段】固定部１０は鞄の上面に固定されるものであり、軸部材３０はその端部が固定部１０の嵌入口１１に嵌入する。軸部材３０は固定部１０によって鞄の上面に水平方向に延在するように支持される。取手本体２０は握手部２２と腕部２１によって構成されており、腕部２１の端部には軸部材３０が貫通する軸受口２３が形成されている。この軸受口２３は、取手本体２０が平伏している待機状態で取手本体２０が水平方向に移動可能となるようにその断面が所謂長穴の形状となるように形成されており、コイルバネ４０は、握手部２２から腕部２１の端部に向かう力を取手本体２０に加える。【選択図】  図２
2005318909.tif 000002
【特許請求の範囲】
【請求項１】
鞄の上面部に固定される固定部と、該固定部に水平方向に延在するように支持される軸
部材と、握手部と当該握手部に連設された腕部とから構成され前記腕部の端部が前記軸部
材に回動自在に軸支される取手本体からなる鞄の取手において、
前記腕部の端部に配設されている前記軸部材が挿入される軸受口の断面形状は、前記取
手本体が前記鞄の上面部に平伏している待機状態において当該取手本体が水平方向で且つ
前記軸部材の軸方向と直角な方向に移動可能となるような長穴の形状に形成され、
前記取手本体を、前記握手部側から前記軸部材の方向へ弾性的に押圧する弾性部材を具
え、
前記待機状態において、前記取手本体の前記腕部の側端面が前記固定部の側面と一致す
る位置に保持されることを特徴とする鞄の取手。
【請求項２】
前記弾性部材は、その内部を前記軸部材が貫通するコイルバネによって構成され、当該
コイルバネの一端は前記固定部に固定され、他端は前記取手本体の前記腕部に形成された
当該他端が摺動可能な規制面に当接していることを特徴とする請求項１に記載の鞄の取手
。
【請求項３】
前記軸受口の断面の形状は、前記待機状態において、前記長穴を一辺とし下側に残りの
一点を有する前記長穴を含む略三角形の形状であることを特徴とする請求項１または２に
記載の鞄の取手。
【発明の詳細な説明】
【技術分野】
【０００１】
本発明は、旅行用のトランク等の箱型の鞄の上面部に配設される鞄の取手に関するもの
である。
【背景技術】
【０００２】
図８は旅行用のトランクの構成を示した斜視図である。トランク１の上面部には、通常
、トランク１を持ち運ぶための取手が配設されている。このような取手は、トランク１の
上面部に固定されている固定部１０と、この固定部１０に水平方向に延在するように支持
されている軸部材によってその腕部２１の端部が回動自在に軸支されている取手本体２０
とによって構成されている。２２は、取手本体２０の握手部である。
【０００３】
図９は、トランク１の取手の部分を拡大した斜視図である。図９において、（ａ）は取
手本体２０が平伏している待機状態を示した図であり、（ｂ）は取手本体２０が屹立して
いる使用状態を示した図である。図１０（ａ），（ｂ）は、図９（ａ），（ｂ）のそれぞ
れに対応した断面図を示したものであり、図中で３０は固定部１０に支持されている軸部
材を示している。
【０００４】
図９（ｂ）および図１０（ｂ）に示した使用状態においては、トランク１を持ち運ぶ過
程で、取手本体２０は図１０（ｂ）に示したように軸部材３０を中心として揺動する。ト
ランク１の持ち運びを容易にするこのような揺動を可能にするために、取手本体２０の腕
部２１の端部と固定部１０との間には空間Ｇが設けられている。
【発明の開示】
【発明が解決しようとする課題】
【０００５】
このような腕部２１の端部と固定部１０との間に空間Ｇの存在が必要とされる従来の鞄
の取手においては、図９（ａ）および図１０（ａ）に示した取手本体２０が平伏している
待機状態のとき、腕部２１の端部の側端面と固定部１０との間にこの空間Ｇが露呈する状
態となる。このように、待機状態において空間Ｇがトランク１の上面に露呈する従来の鞄
の取手には以下のような問題があった。
【０００６】
先ず、待機状態においてトランクの上面に露呈している空間Ｇ内に、使用者のコートの
裾等の衣服の端が位置している場合などには、取手本体２０の握手部２２を持って取手本
体２０を立てるときにその衣服の端が腕部２１と固定部１０との間に巻き込まれて挟まっ
てしまうことがあった。また、待機状態のとき空間Ｇが露呈するので、この露呈している
空間Ｇの存在を前提として取手全体のデザインを考える必要があり、このような取手のデ
ザインの範囲を狭めてしまうという問題もあった。
【課題を解決するための手段】
【０００７】
以上の問題を解決するために本発明は、鞄の上面部に固定される固定部と、該固定部に
水平方向に延在するように支持される軸部材と、握手部と当該握手部に連設された腕部と
から構成され前記腕部の端部が前記軸部材に回動自在に軸支される取手本体からなる鞄の
取手において、前記腕部の端部に配設されている前記軸部材が挿入される軸受口の断面形
状は、前記取手本体が前記鞄の上面部に平伏している待機状態において当該取手本体が水
平方向で且つ前記軸部材の軸方向と直角な方向に移動可能となるような長穴の形状に形成
され、前記取手本体を、前記握手部側から前記軸部材の方向へ弾性的に押圧する弾性部材
を具え、前記待機状態において、前記取手本体の前記腕部の側端面が前記固定部の側面と
一致する位置に保持されることを特徴とするものである。
【０００８】
ここで、前記弾性部材は、その内部を前記軸部材が貫通するコイルバネによって構成さ
れ、当該コイルバネの一端は前記固定部に固定され、他端は前記取手本体の前記腕部に形
成された当該他端が摺動可能な規制面に当接するようにしてもよいし、さらに前記軸受口
の断面の形状は、前記待機状態において、前記長穴を一辺とし下側に残りの一点を有する
前記長穴を含む略三角形の形状としてもよい。
【発明の効果】
【０００９】
本発明によれば、取手本体と固定部との間に存在する空間が待機状態において鞄の上面
に露呈しない取手を構成することができて、取手本体と固定部との間に衣服の端等が挟ま
る事態を防ぐことができるとともに、取手全体のデザインの範囲を従来に比して広くする
ことができる。
【発明を実施するための最良の形態】
【００１０】
以下、図面を用いて本発明の実施例を説明する。
【実施例１】
【００１１】
図１は本発明の実施例１の構成を示す斜視図であり、（ａ）は取手本体２０が立ってい
る使用状態を示したものであり、（ｂ）は取手本体２０が平伏している待機状態を示した
ものである。ここで、本実施例１においても従来の取手と同様に、固定部１０はトランク
１の上面部に固定されており、取手本体２０は握手部２２とこの握手部２２に連設されて
いる腕部２１とによって構成されている。
【００１２】
図２は、本実施例１の構成を示した分解斜視図であり、図３，図４はその要部を下面側
から視た分解斜視図である。
【００１３】
図２に示したように、固定部１０には軸部材３０の端部が嵌入する嵌入口１１が形成さ
れており、軸部材３０は水平方向に延在するように固定部１０によって支持される。
【００１４】
４０は、取手本体２０に弾性的に力を加えるためのコイルバネである。
【００１５】
取手本体２０の腕部２１の端部には、軸部材３０が貫通する軸受口２３が形成されてい
る。この軸受口２３の断面の形状は、取手本体２０が平伏している待機状態において、取
手本体２０が水平方向で且つ軸部材３０の軸方向と直角な方向に移動可能となるように、
図３に示したような所謂長穴の形状となっている。ここで、長穴の形状とは、異なる位置
を中心とする同一直径の２つの円とこの２つの円の互いに平行な２本の共通接線とによっ
て囲まれた部分の形状をいう。
【００１６】
本実施例１においては、図３に示したように、軸受口２３の断面の一方の端部２３ａは
、従来の取手本体の軸受口と略同じ位置となるように選ばれており、他方の端部２３ｂは
、待機状態において軸部材３０がここに位置したときに腕部２１の端部の側端面が固定部
１０の側面と一致する位置に選ばれている。
【００１７】
コイルバネ４０は、その内部を軸部材３０が貫通するように配設されており、その一端
４１は固定部１０に形成されている溝部１２によって係止されている。
【００１８】
コイルバネ４０の他端４２は、図４に示した、腕部２１の端部に形成されている規制面
２４に摺動自在に当接している。ここでコイルバネ４０は、図５（ａ）に示した待機状態
において、握手部２２から軸部材３０に向かう方向すなわち図中のＡ方向に取手本体２０
を弾性的に押圧するように構成されている。
【００１９】
次に、以上のように構成された本実施例１の動作を図５を用いて説明する。
【００２０】
図５（ａ）に示したように待機状態においては、コイルバネ４０によって取手本体２０
がＡ方向に弾性的に押圧されているために、腕部２１の端部の側端面が固定部１０の側面
と一致する位置に取手本体２０は保持されている（図１（ｂ）参照）。従って、トランク
１の上面部に取手本体２０と固定部１０との間に設けられている空間が露呈することはな
い。
【００２１】
取手本体２０を使用する場合には、使用者は、先ず取手本体２０をコイルバネ４０によ
る弾性力に抗して握手部２２側に引いて図５（ｂ）の状態にする。この動作に際して、コ
イルバネ４０の端４２は規制面２４上を摺動して下方に移動する。
【００２２】
図５（ｂ）に示したように、軸部材３０が長穴２３の端部に位置して、この軸部材３０
によって取手本体２０の水平方向への移動が規制された段階で、使用者は従来の取手と同
様に取手本体２０を軸部材３０を中心として回動させてこの取手本体２０を屹立状態にし
て使用する（図５（ｃ），（ｄ）参照）。
【００２３】
図５（ｄ）に示したような使用状態においては、取手本体２０と固定部１０との間に設
けられた空間が存在しているために、取手本体２０は従来の取手と同様に揺動可能な状態
となっている。
【００２４】
図５（ｄ）に示した使用状態から図５（ａ）に示した待機状態にする場合には、使用者
が取手本体２０から手を離すと、コイルバネ４０の弾性力によって取手本体２０は軸部材
３０を中心として回動して図５（ｂ）に示したような平伏状態となった後、水平方向に移
動して図５（ａ）に示す待機状態となる。
【実施例２】
【００２５】
先に説明した実施例１においては、図５（ａ）に示した待機状態から図５（ｄ）に示し
た使用状態にする場合、使用者は、取手本体２０を水平方向に引いた後に、軸部材３０を
中心として取手本体２０を立てるという２つの動作が必要があった。
【００２６】
本実施例２に係る鞄の取手は取手本体２０を持ち上げるという１動作で待機状態から使
用状態にすることができる。
【００２７】
本実施例２と実施例１との差異は、腕部２１の端部に形成されている軸受口の断面の形
状にある。即ち、実施例１の軸受口２３の断面の形状は図４に示したように所謂長穴の形
状に形成されているのに対して、本実施例２の軸受口は、図６に示したように、長穴の形
状の断面を有する実施例１の軸受口２３を含む略三角形の形状の断面を有する軸受口２５
となっている。すなわち、本実施例２においては、その断面が、長穴を一辺とし残りの頂
点２５ａが待機状態において長穴の下側に位置するような略三角形の断面を有する軸受口
２５が腕部の端部に形成されている。その他の構成は先に説明した実施例１と同様である
のでその説明は省略する。
【００２８】
以上のように構成された本実施例２の動作を図７を用いて説明する。
【００２９】
図７（ａ）に示した待機状態から、使用者が握手部２２を握ってこれを持ち上げると、
図７（ｂ）に示したように頂点２５ａを経由するようにして軸受口２５内の軸部材３０は
軸受口２５の内壁面に沿って図７（ｃ）に示した位置まで移動する。
【００３０】
このように本実施例２においては、握手部２２を持ち上げるという１動作で取手本体２
０を待機状態から使用状態にすることができる。
【産業上の利用可能性】
【００３１】
本発明によれば、待機状態において取手本体と固定部との間に設けられた空間が鞄の上
面に露呈しないので、使用者等の衣服の端が取手本体と固定部の間に挟まることを防ぐこ
とができる鞄の取手を提供することができるとともに、鞄の取手のデザインを従来にはな
いデザインにすることができる。
【図面の簡単な説明】
【００３２】
【図１】本発明の実施例１の構成を示す斜視図である。
【図２】本発明の実施例１の構成を示す分解斜視図である。
【図３】本発明の実施例１の要部の構成を示す分解斜視図である。
【図４】本発明の実施例１の要部の構成を示す分解斜視図である。
【図５】本発明の実施例１の動作の説明図である。
【図６】本発明の実施例２の要部の構成を示す分解斜視図である。
【図７】本発明の実施例２の動作の説明図である。
【図８】従来の鞄の取手の構成を示す斜視図である。
【図９】従来の鞄の取手の説明図である。
【図１０】従来の鞄の取手の説明図である。
【符号の説明】
【００３３】
１０  固定部
１１  嵌入口
１２  溝部
２０  取手本体
２１  腕部
２２  握手部
２３，２５  軸受口
２３ａ，２３ｂ  端部
２４  規制面
２５ａ  頂点
３０  軸部材
４０  コイルバネ
４１，４２  端
Ａ  方向
Ｇ  空間
【図１】
2005318909.tif 000003
【図２】
2005318909.tif 000004
【図３】
2005318909.tif 000005
【図４】
2005318909.tif 000006
【図５】
2005318909.tif 000007
【図６】
2005318909.tif 000008
【図７】
2005318909.tif 000009
【図８】
2005318909.tif 000010
【図９】
2005318909.tif 000011
【図１０】
2005318909.tif 000012